(57)【要約】【課題】複雑な形状の例えば焼き物のような個々の形状がそれぞれ異なる容器の保温や断熱、表面の結露防止を目的とした保護カバーについて、個々の容器の形状に合わせて使用が可能で、更に安定性を備えた繊維質のカバーを提供する。【解決手段】本発明のカバーは細編み長編みで編まれた繊維質で構成され、細編み部を二つ折りにして縫合する事で繊維質カバーの底面部が側面部より少なくとも２ｍｍ以上の凸部を形成したことを特徴とする。【選択図】    図１
2008113847.tif 000002
【特許請求の範囲】
【請求項１】
容器に密着して形成された繊維カバーにおいて、繊維カバー
の底面部が容器に密着した側面部より少なくとも２ｍｍ以上の
凸部を有することを特徴とする繊維カバー。
【発明の詳細な説明】
【技術分野】
【０００１】
本発明は食卓用具の分野に属し、カップや湯飲みなどのガラ
スや陶磁器樹脂材質の内容物を保持するためのカバーとして
利用される。
【背景技術】
【０００２】
従来の技術では容器を断熱的に係着して該容器と持ち手の間
の熱の授受を遮断し、また高温内容物の温度低下を防ぐ保温
効果を備えたカバー等が既に報告されている。
【０００３】
これらの発明は容器内容物の保温、断熱、結露防止、のため
グラスやカップ等の形状に合わせて紙や布などの材料を加工し
密着させるカバーが考案されている。
【０００４】
これらの発明では非常に形状が複雑で個々の形状が異なって
いる陶器などのカップについての対応策は対象としていない。
【０００５】
なお、本発明に関連する公知技術として次の特許文献１及び
２、３を挙げることが出来る。
【０００６】
【特許文献１】登録実用新案第３０４５１８１号
【特許文献２】登録実用新案第３０４７２０７号
【特許文献３】特開２００４−８９６６４
【発明の開示】
【課題を解決するための手段】
【０００７】
上述の如く、従来発明によれば、容器は断熱性を有する材料
からなり、プラスチックやガラスカップなどを想定して構成
されているが複雑な形状の例えば焼き物のような個々の形状が
それぞれ異なる容器では個々の形状に合わせて作成することは
極めて困難である。
【０００８】
又、陶器などのカップでは底面がフラットでなく、紙などの
材質では底面の状態に合わせて作製しにくく加工が複雑で高価
になってしまい、カップとカバーの接地状態が悪いとカップが
倒れたりして製品の安定性が失われてしまう。
【０００９】
本発明はこのような問題を解決するため繊維を長編みと細編
みで編み上げカバーに収縮性を持たせ、それぞれ異なった形状
のカップにおいても一定の密着状態が得られるようにしたこと
にある。
【００１０】
本発明の繊維カバーはカップ等の容器に密着して形成され、
前記繊維カバーの底面部が容器に密着した側面部より少なくと
も２ｍｍ以上の凸状安定部を持つことでカップを置いたときの
安定性を更に確保している。
【００１１】
本発明の繊維カバーは細編み長編みで構成され、側面上部は
細編み部を二つ折りにして縫合する事で持ったときの安定感を
さらに増している。
【発明の効果】
【００１２】
本発明によれば、糸を細編み長編みで編んだ底面部分の直径
がカバーの側面より２ｍｍ以上凸部を有する事で繊維質特有の
容器に対する柔軟性と保温性、耐久性を備えながら容器の安定
性を高めた繊維カバーを提供できる。  本発明の実験によれば
２ｍｍ以下では安定性の効果は少なく、逆に１０ｍｍ以上の凸
であれば繊維質であるため強度がなく形状が崩れやすい。
【００１３】
更に本発明では安定性を増すための底面部は編み方を細編み
にし、２つ折りに縫い合わすことで構造を複雑にすることなく
容易に安定した凸状部を持つカバーを提供できる。
【００１４】
使用する糸の材質を消臭効果、洗浄可能な素材を採用する
ことにより、常に清潔なカバーを提供できる。
【発明を実施するための最良の形態】
【００１５】
以下、本発明の実施の形態を図面に基づき詳細に説明する。
【００１６】
図１〜４は本発明の実施の形態に係り、図1は本発明の全体
構成図である。  発明の形態はカップなどの容器に密着する
カバーは制電繊維が入った糸を図１に示すように鎖編み長編み
で円筒状に仕上げた土台１を有し、側面はカップの表面に密着
するよう細編みで比較的きつめに編み上げられている。  
【００１７】
図１の容器に形成するカバーは制電繊維が入った糸を円筒状
の繊維質で仕上げられており、糸の材質は本実施例ではアクリ
ル８９％とアクリレート系繊維ディスメル１０％と制電繊維
１％で構成される。  
【００１８】
この糸は生活臭を糸の中で分解しカバーには臭いがつかない。
この消臭機能はヤシガラ活性炭の4倍以上あり、繊維内部に
練りこまれているため半永久的に効果が持続する。
【００１９】
図2は図1の円筒状保持具の底面図であり、円の中央から鎖
編みと呼ばれる編み方で始め、鎖編み3目で立ち上がり、長編み
で反時計回りに円弧状に編み進む、一周した後さらに鎖編みで
外周方向に３目立ち上がり長編みで反時計回りに編み進み、円弧
を広げていく。
【００２０】
円弧の大きさは容器に合わせて編み回数を増やしていけばよい
が本実施例では図３のように３回行っている。  又、立ち上がり
の目の数は本実施例では3目であるが円弧が崩れない範囲で2目
から５目でも構わない。                                                                  
【００２１】
円弧の最外周部の編み方は、容器の寸法に合わせるため長編み
から細編みに切り替えることで行う。この際使用する鈎針は
サイズを変えて調整する。  
【００２２】
細編みは目数が多く微細な編み方であるため寸法調整には適し
ているが本発明の要点となる最外周部は図４に示すように容器の
サイズより円を大きくし容器を置いた際容器の安定性を増すため
の折り返しをつけるため鈎針のサイズを大きくして目の間隔を
広くし、折り返ししやすくしている。  
【００２３】
本実施例では2段分細編みで太いサイズの６号鈎針で編み、
その後円筒状に立ち上がる部分は４号鈎針を用いて細編みで編み
進む。  この折り返し分2段は１段当たり３ｍｍとなっており、
２段を折り返して３ミリの凸部を形成している。  
又、折り返し部分は同質の糸で円周上に縫いとめることで凸部を
形成している。  
【００２４】
この折り返し部分がないと容器にカバーを装着した場合、編地
の厚みで側面が丸くなってしまい、容器に安定性がなく、容器に
触れた際に容易に転倒してしまう恐れがあるため底面の外周部を
大きくし、安定性を高めている。          
【００２５】
安定度を増すためには外形が大きい方が良いが、素材が繊維で
あるため、適度な形状を保つため、２ｍｍから１０ｍｍ程度が
好ましいと考える。  又、器を保持する部分の側面は細編みで
比較的細い鈎針を用いて編み上げる。  本実施例では１６段から
２０段編み上げているが、容器の長さにあわせて適度な段数まで
編み上げても良い。
【００２６】
最上段から２段は容器を保持した際、手がすべりにくいように
細編みで2段分折まげを行い同じ素材の糸で縫いとめる。  これ
により、図1に示すようにカップを置いたときに安定させるため
の外周凸部と側面の上部に折り返して備えた、凸部の間に持ち手
が入ることで安定した保持が可能となっている。  
【００２７】
又、細編み各段は一周した後、上段へ立ち上げるが同じ箇所で
上段へ立ち上げると直線状に立ち上がり線が入ってしまいカバー
を持った際、持ち手に違和感がなく、デザイン的にも凹凸が目立
たない様に立ち上がり箇所を一段ずつずらした模様の編み方を
してもよい。
【００２８】
尚、本実施例のほかに途中で糸を変えアクセントとしてボタン
やタグなどを縫いつけることで装飾する事も可能である。  
【産業上の利用可能性】
【００２９】
本発明は一般家庭や飲食店などで使用される飲料水を入れる
容器のカバーとして広く使われることができる。
【図面の簡単な説明】
【００３０】
【図１】本発明の全体構成図
【図２】底面の編み方1段目
【図３】底面の編み方2段目
【図４】凸状部の編み方断図
【符号の説明】
【００３１】
1  固定用土台
2  底面部立ち上がり鎖編み
3  底面部1段目長編み
4  底面部2段目長編み
5  底面部3段目立ち上がり鎖編み
6  底面部折り返し2段細編み
7  側面部細編み１６段〜２０段
【図１】
2008113847.tif 000003
【図２】
2008113847.tif 000004
【図３】
2008113847.tif 000005
【図４】
2008113847.tif 000006